(57)【要約】【課題】  オーディオソース機器用デジタル技術及びHi-Fiオーディオアンプ(ねじれ≦0.02％)の登場に伴って、従来の可動コイルスピーカーは動作原理及び自身の機械的構造の欠陥により出力した音声のねじれ (約3％)が大きく、音響技術の成長に適さなくなってきて、音響再生システムのボトルネックとなっている。【解決手段】  現在、電気音響技術界及び産業界は構造が簡単であり、パフォーマンスが優れた(周波数応答20〜30000Hz、ねじれ≦0.05％)静電スピーカーに力を集め始めた。理論によると、可動コイルスピーカーにも静電スピーカーにも重大な振幅周波数のねじれがある。本発明による技術策は効果的に静電スピーカー及び可動コイルスピーカーの振幅周波数のねじれを削減できる。【選択図】図５
2021527374.tif 000002
【特許請求の範囲】
【請求項１】
オーディオトランスフォーマー（301）、高圧直流電源（302）、固定極板（303）の2つ及びダイヤフラム（304）を含む静電スピーカーであって、オーディオ信号を入力して前記の静電スピーカーの固定極板（303）の2つに出力するまで前記の入力信号に対する二次微分の解決演算を行い、前記のオーディオトランスフォーマー（301）が前記の入力信号に対する昇圧を行い、前記の高圧直流電源（302）が前記のダイヤフラム（304）に正味の電荷を提供し、前記のダイヤフラム（304）が前記の固定極板（303）の2つの間にあり、前記の二次微分の解決演算が行われた信号が前記の固定極板（303）の2つに印加されて前記の固定極板（303）の2つの間に変化する電界が形成し、前記のダイヤフラム（304）が前記の変化する電界に与えられた電界力の作用を受けて振動して音声が生じることを特徴とする静電スピーカー。
【請求項２】
オーディオトランスフォーマー（301）、高圧直流電源（302）、固定極板（303）の2つ及びダイヤフラム（304）を含む静電スピーカーであって、前記の静電スピーカーにオーディオ信号を入力して二次微分の解決演算を行なうモジュールがあり、前記のモジュールの二次微分の解決演算がハードウェア又はソフトウェアにより達成でき、前記のオーディオトランスフォーマー（301）が前記の入力信号に対する昇圧を行い、前記の高圧直流電源（302）が前記のダイヤフラム（304）に正味の電荷を提供し、前記のダイヤフラム（304）が前記の固定極板（303）の2つの間にあり、前記のモジュールにより二次微分の解決演算が行われた信号が前記の固定極板（303）の2つに印加されて前記の固定極板（303）の2つの間に変化する電界が形成し、前記のダイヤフラム（304）が前記の変化する電界に与えられた電界力の作用を受けて振動して音声が生じることを特徴とする静電スピーカー。
【請求項３】
前記のモジュールが前記の入力信号の通信ルートにあり、前記の通信ルートが前記の入力信号が前記の静電スピーカーの信号入力端から前記の固定極板（303）の2つに通信するために経るルートであることを特徴とする請求項2に記載の静電スピーカー。
【請求項４】
前記のモジュールが前記の入力信号の通信ルートにあり、前記の通信ルートが前記の入力信号が前記の静電スピーカーの信号入力端から前記のオーディオトランスフォーマー（301）の信号入力端に通信するために経るルートであることを特徴とする請求項2に記載の静電スピーカー。
【請求項５】
前記のモジュールが前記の入力信号の通信ルートにあり、前記の通信ルートが前記の入力信号が前記のオーディオトランスフォーマー（301）の信号出力端から前記の固定極板（303）の2つに通信するために経るルートであることを特徴とする請求項2に記載の静電スピーカー。
【請求項６】
前記のモジュールが前記のオーディオトランスフォーマー（301）の内部にあることを特徴とする請求項2に記載の静電スピーカー。
【請求項７】
オーディオトランスフォーマー（301）、高圧直流電源（302）、固定極板（303）の2つ及びダイヤフラム（304）を含む静電スピーカーであって、オーディオ信号を入力して前記の静電スピーカーの固定極板（303）の2つに出力するまで前記の信号に対するn次微分の解決演算を行い、前記のn次微分の解決演算が一次又は三次微分の解決演算だけを含み、前記のオーディオトランスフォーマー（301）が前記の入力信号に対する昇圧を行い、前記の高圧直流電源（302）が前記のダイヤフラム（304）に正味の電荷を提供し、前記のダイヤフラム（304）は前記の固定極板（303）の2つの間にあり、前記のn次微分の解決演算が行われた信号が前記の固定極板（303）の2つに印加されて前記の固定極板（303）の2つの間に変化する電界が形成し、前記のダイヤフラム（304）が前記の変化する電界に与えられた電界力の作用を受けて振動して音声が生じることを特徴とする静電スピーカー。
【請求項８】
オーディオトランスフォーマー（301）、高圧直流電源（302）、固定極板（303）の2つ及びダイヤフラム（304）を含み、前記の静電スピーカーにオーディオ信号を入力してn次微分の解決演算を行なうモジュールがあり、前記のn次微分の解決演算が一次又は三次微分の解決演算だけを含み、前記のモジュールの微分演算がハードウェア又はソフトウェアにより達成でき、前記のオーディオトランスフォーマー（301）が前記の入力信号に対する昇圧を行い、前記の高圧直流電源（302）が前記のダイヤフラム（304）に正味の電荷を提供し、前記のダイヤフラム（304）が前記の固定極板（303）の2つの間にあり、前記のモジュールにより微分演算が行われた信号が前記の固定極板（303）の2つに印加されて前記の固定極板（303）の2つの間に変化する電界が形成し、前記のダイヤフラム（304）が前記の変化する電界に与えられた電界力の作用を受けて振動して音声が生じることを特徴とする静電スピーカー。
【請求項９】
前記のモジュールが前記の入力信号の通信ルートにあり、前記の通信ルートが前記の入力信号が前記の静電スピーカーの信号入力端から前記の固定極板（303）の2つに通信するために経るルートであることを特徴とする請求項8に記載の静電スピーカー。
【請求項１０】
前記のモジュールが前記の入力信号の通信ルートにあり、前記の通信ルートが前記の入力信号が前記の静電スピーカーの信号入力端から前記のオーディオトランスフォーマー（301）の信号入力端に通信するために経るルートであることを特徴とする請求項8に記載の静電スピーカー。
【請求項１１】
前記のモジュールが前記の入力信号の通信ルートにあり、前記の通信ルートが前記の入力信号が前記のオーディオトランスフォーマー（301）の信号出力端から前記の固定極板（303）の2つに通信するために経るルートであることを特徴とする請求項8に記載の静電スピーカー。
【請求項１２】
前記のモジュールが前記のオーディオトランスフォーマー（301）の内部にあることを特徴とする請求項8に記載の静電スピーカー。
【請求項１３】
オーディオ信号増幅器及び静電スピーカーを含み、オーディオ信号を入力して前記の静電スピーカーの固定極板の2つに通信されるまで前記の入力信号に対する二次微分の解決演算を行い、前記のオーディオ信号増幅器が前記の入力信号に対する増幅を行い、前記の二次微分の解決演算を行った入力信号が前記の静電スピーカーの固定極板の2つに印加され、前記の静電スピーカーに音声が生じるようにすることを特徴とするオーディオ信号処理装置。
【請求項１４】
オーディオ信号増幅器及び静電スピーカーを含むオーディオ信号処理装置であって、前記の装置にオーディオ信号を入力して二次微分の解決演算を行なうモジュールがあり、前記のモジュールの二次微分の解決演算がハードウェア又はソフトウェアにより達成でき、前記のオーディオ信号増幅器が前記の入力信号に対する増幅を行い、前記の入力信号が前記の装置の信号入力端から前記の静電スピーカーの固定極板の2つに通信する過程に前記のモジュールにより二次微分の解決演算が行われ、前記の入力信号が前記の静電スピーカーの固定極板の2つに通信すると、前記の静電スピーカーに音声が生じるようにすることを特徴とするオーディオ信号処理装置。
【請求項１５】
前記のモジュールが前記の入力信号の通信ルートにあり、前記の通信ルートが前記の入力信号が前記の装置の信号入力端から前記の静電スピーカーの固定極板（303）の2つに通信するために経るルートであることを特徴とする請求項14に記載の装置。
【請求項１６】
前記のモジュールが前記の入力信号の通信ルートにあり、前記の通信ルートが前記の入力信号が前記の装置の信号入力端から前記のオーディオ信号増幅器の信号入力端に通信するために経るルートであることを特徴とする請求項14に記載の装置。
【請求項１７】
前記のモジュールが前記の入力信号の通信ルートにあり、前記の通信ルートが前記の入力信号が前記のオーディオ信号増幅器の信号出力端から前記の静電スピーカーの固定極板（303）の2つに通信するために経るルートであることを特徴とする請求項14に記載の装置。
【請求項１８】
前記のモジュールが前記のオーディオ信号増幅器の内部にあることを特徴とする請求項14に記載の装置。
【請求項１９】
オーディオ信号増幅器及び静電スピーカーを含み、オーディオ信号を入力して前記の静電スピーカーの信号入力端に通信するまで前記の入力信号に対するn次微分の解決演算を行い、前記のn次微分の解決演算が一次又は三次微分の解決演算だけを含み、前記のオーディオ信号増幅器が前記の入力信号に対する増幅を行い、前記のn次微分の解決演算が行われた入力信号が前記の静電スピーカーの固定極板に印加され、前記の静電スピーカーに音声が生じるようにすることを特徴とするオーディオ信号処理装置。
【請求項２０】
オーディオ信号増幅器及び静電スピーカーを含むオーディオ信号処理装置であって、前記の装置にオーディオ信号を入力してn次微分の解決演算を行なうモジュールがあり、前記のn次微分の解決演算が一次又は三次微分の解決演算だけを含み、前記のモジュールの微分演算がハードウェア又はソフトウェアにより達成でき、前記のオーディオ信号増幅器が前記の入力信号に対する増幅を行い、前記のモジュールにより微分演算が行われた入力信号が前記の静電スピーカーの固定極板の2つに通信し、前記の静電スピーカーに音声が生じるようにすることを特徴とするオーディオ信号処理装置。
【請求項２１】
前記のモジュールが前記の入力信号の通信ルートにあり、前記の通信ルートが前記の入力信号が前記の装置の信号入力端から前記の静電スピーカーの固定極板（303）の2つに通信するために経るルートであることを特徴とする請求項20に記載の装置。
【請求項２２】
前記のモジュールが前記の入力信号の通信ルートにあり、前記の通信ルートが前記の入力信号が前記の装置の信号入力端から前記のオーディオ信号増幅器の信号入力端に通信するために経るルートであることを特徴とする請求項20に記載の装置。
【請求項２３】
前記のモジュールが前記の入力信号の通信ルートにあり、前記の通信ルートが前記の入力信号が前記のオーディオトランスフォーマー（301）の信号出力端から前記の静電スピーカーの固定極板（303）の2つに通信するために経るルートであることを特徴とする請求項20に記載の装置。
【請求項２４】
前記のモジュールが前記のオーディオ信号増幅器の内部にあることを特徴とする請求項20に記載の装置。
【請求項２５】
磁石、音声コイル、プログレッシブレジスタンススパイダー及びダイヤフラムを含み、オーディオ信号を入力して前記の音声コイルを通信するまで前記の信号に対する三次微分の解決演算を行い、前記の音声コイルが前記の磁石が生じた磁界にあり、前記の音声コイル、前記のダイヤフラム及び前記のプログレッシブレジスタンススパイダーがつながっていて、前記のプログレッシブレジスタンススパイダーは軸線方向だけに沿って動作する前記の音声コイルを保ち、前記の三次微分の解決演算が行われた信号が前記の音声コイルを経る際に当たり、前記の音声コイルが磁界力の作用を受けて振動し、前記のダイヤフラムを駆動し、前記のダイヤフラムが振動して音声が生じることを特徴とする可動コイルスピーカー。
【請求項２６】
磁石、音声コイル、プログレッシブレジスタンススパイダー及びダイヤフラムを含む可動コイルスピーカーであって、前記の可動コイルスピーカーにオーディオ信号を入力して三次微分の解決演算を行なうモジュールがあり、前記のモジュールの三次微分の解決演算がハードウェア又はソフトウェアにより達成でき、前記の音声コイルが前記の磁石が生じた磁界にあり、前記の音声コイル、前記のダイヤフラム及び前記のプログレッシブレジスタンススパイダーがつながっていて、前記のプログレッシブレジスタンススパイダーは軸線方向だけに沿って動作する前記の音声コイルを保ち、前記のモジュールにより三次微分が行われた解決演算の入力信号が前記の音声コイルを経る際に当たり、前記の音声コイルが磁界力の作用を受けて振動し、前記のダイヤフラムを駆動し、前記のダイヤフラムが振動して音声が生じることを特徴とする可動コイルスピーカー。
【請求項２７】
磁石、音声コイル、プログレッシブレジスタンススパイダー及びダイヤフラムを含む可動コイルスピーカーであって、オーディオ信号を入力して前記の可動コイルスピーカーの音声コイルに通信するまで前記の入力信号に対するn次微分の解決演算を行い、前記のn次微分の解決演算が一次、二次、四次又は五次微分の解決演算だけを含み、前記の音声コイルが前記の磁石が生じた磁界にあり、前記の音声コイル、前記のダイヤフラム及び前記のプログレッシブレジスタンススパイダーがつながっていて、前記のプログレッシブレジスタンススパイダーが軸線方向だけに沿って動作する前記の音声コイルを保ち、前記のn次微分の解決演算が行われた入力信号が前記の音声コイルを経る際に当たり、前記の音声コイルが磁界力の作用を受けて振動し、前記のダイヤフラムを駆動し、前記のダイヤフラムが振動して音声が生じることを特徴とする可動コイルスピーカー。
【請求項２８】
磁石、音声コイル、プログレッシブレジスタンススパイダー及びダイヤフラムを含む可動コイルスピーカーであって、前記の可動コイルスピーカーにオーディオ信号を入力してn次微分の解決演算を行なうモジュールがあり、前記のn次微分の解決演算が一次、二次、四次又は五次微分の解決演算だけを含み、前記のモジュールの微分演算がハードウェア又はソフトウェアにより達成でき、前記の音声コイルが前記の磁石が生じた磁界にあり、前記の音声コイル、前記のダイヤフラム及び前記のプログレッシブレジスタンススパイダーがつながっていて、前記のプログレッシブレジスタンススパイダーが軸線方向だけに沿って動作する前記の音声コイルを保ち、前記のモジュールにより微分演算が行われた入力信号が前記の音声コイルを経る際に当たり、前記の音声コイルが磁界力の作用を受けて振動し、前記のダイヤフラムを駆動し、前記のダイヤフラムが振動して音声が生じることを特徴とする可動コイルスピーカー。
【請求項２９】
オーディオ信号増幅器及び可動コイルスピーカーを含み、オーディオ信号を入力して前記の可動コイルスピーカーの音声コイルに通信するまで前記の入力信号に対する三次微分の解決演算を行い、前記のオーディオ信号増幅器が前記の入力信号に対する増幅を行い、前記の三次微分の解決演算が行われた入力信号が前記の可動コイルスピーカーの音声コイルを経る際に当たり、前記の可動コイルスピーカーに音声が生じるようにすることを特徴とするオーディオ信号を処理するための装置。
【請求項３０】
オーディオ信号増幅器及び可動コイルスピーカーを含むオーディオ信号を処理するための装置であって、前記の装置にオーディオ信号を入力して三次微分の解決演算を行なうモジュールがあり、前記のモジュールの三次微分の解決演算がハードウェア又はソフトウェアにより達成でき、前記のオーディオ信号増幅器が前記の入力信号に対する増幅を行い、前記のモジュールにより三次微分が行われた解決演算の入力信号が前記の可動コイルスピーカーの音声コイルを経る際に当たり、前記の可動コイルスピーカーに音声が生じるようにすることを特徴とするオーディオ信号を処理するための装置。
【請求項３１】
前記のモジュールが前記の入力信号の通信ルートにあり、前記の通信ルートが前記の入力信号が前記の装置の信号入力端から前記の可動コイルスピーカーに通信する音声コイルが経るルートであることを特徴とする請求項30に記載の装置。
【請求項３２】
前記のモジュールが前記の入力信号の通信ルートにあり、前記の通信ルートが前記の入力信号が前記の装置の信号入力端から前記のオーディオ信号増幅器の信号入力端に通信するために経るルートであることを特徴とする請求項30に記載の装置。
【請求項３３】
前記のモジュールが前記の入力信号の通信ルートにあり、前記の通信ルートが前記の入力信号が前記のオーディオ信号増幅器の信号出力端から前記の可動コイルスピーカーに通信する音声コイルが経るルートであることを特徴とする請求項30に記載の装置。
【請求項３４】
前記のモジュールが前記のオーディオ信号増幅器の内部にあることを特徴とする請求項30に記載の装置。
【請求項３５】
オーディオ信号増幅器及び可動コイルスピーカーを含み、オーディオ信号を入力して前記の可動コイルスピーカーの音声コイルに通信するまで前記の入力信号に対するn次微分の解決演算を行い、前記のn次微分の解決演算が一次、二次、四次又は五次微分の解決演算だけを含み、前記のオーディオ信号増幅器が信号に対する増幅を行い、前記のn次微分の解決演算が行われた入力信号が前記の可動コイルスピーカーの音声コイルを経る際に当たり、前記の可動コイルスピーカーに音声が生じるようにすることを特徴とするオーディオ信号を処理するための装置。
【請求項３６】
オーディオ信号増幅器及び可動コイルスピーカーを含むオーディオ信号を処理するための装置であって、前記の装置に入力信号に対するn次微分の解決演算を行なうモジュールがあり、前記のn次微分の解決演算が一次、二次、四次又は五次微分の解決演算だけを含み、前記のモジュールの微分演算がハードウェア又はソフトウェアにより達成でき、前記のオーディオ信号増幅器が前記の入力信号に対する増幅を行い、前記のモジュールにより微分演算が行われた入力信号が前記の可動コイルスピーカーの音声コイルを経る際に当たり、前記の可動コイルスピーカーに音声が生じるようにすることを特徴とするオーディオ信号を処理するための装置。
【請求項３７】
前記のモジュールが前記の入力信号の通信ルートにあり、前記の通信ルートが前記の入力信号が前記の装置の信号入力端から前記の可動コイルスピーカーに通信する音声コイルが経るルートであることを特徴とする請求項36に記載の装置。
【請求項３８】
前記のモジュールが前記の入力信号の通信ルートにあり、前記の通信ルートが前記の入力信号が前記の装置の信号入力端から前記のオーディオ信号増幅器の信号入力端に通信するために経るルートであることを特徴とする請求項36に記載の装置。
【請求項３９】
前記のモジュールが前記の入力信号の通信ルートにあり、前記の通信ルートが前記の入力信号が前記のオーディオ信号増幅器の信号出力端から前記の可動コイルスピーカーに通信する音声コイルが経るルートであることを特徴とする請求項36に記載の装置。
【請求項４０】
前記のモジュールが前記のオーディオ信号増幅器の内部にあることを特徴とする請求項36に記載の装置。
【請求項４１】
デジタル・アナログの変換モジュール、二次微分演算モジュール及び静電スピーカーを含み、前記のデジタル・アナログの変換モジュールが受信したデジタルオーディオ信号を該当するアナログオーディオ信号に変換し、前記の二次微分演算モジュールが前記のアナログオーディオ信号に対する二次微分の解決演算を行い、前記の二次微分演算モジュールの二次微分の解決演算はハードウェア又はソフトウェアにより達成でき、前記のデジタル・アナログの変換モジュールが出力したアナログオーディオ信号が前記の二次微分演算モジュールにより二次微分の解決演算を行われてから前記の静電スピーカーの信号入力端に印加され、前記の静電スピーカーに音声が生じるようにすることを特徴とするオーディオ信号を処理するための装置。
【請求項４２】
前記の装置にデジタルオーディオ信号を記憶するためのメモリもあることを特徴とする請求項41に記載の装置。
【請求項４３】
前記の装置にオーディオ信号増幅器もあり、前記のオーディオ信号増幅器が前記のアナログオーディオ信号に対する増幅を行って前記のアナログオーディオ信号の出力を向上させて前記の静電スピーカーが生じた音声のボリュームを向上させるためのものであることを特徴とする請求項41に記載の装置。
【請求項４４】
デジタル・アナログの変換モジュール、n次微分演算モジュール及び静電スピーカーを含み、前記のデジタル・アナログの変換モジュールが受信したデジタルオーディオ信号を該当するアナログオーディオ信号に変換でき、前記のn次微分演算モジュールが前記のアナログオーディオ信号に対するn次微分の解決演算を行い、前記のn次微分の解決演算が一次又は三次微分の解決演算だけを含み、前記のn次微分の解決演算がハードウェア又はソフトウェアにより達成でき、前記のn次微分演算モジュールにより解決演算を行われたアナログオーディオ信号が前記の静電スピーカーの信号入力端に印加され、前記の静電スピーカーに音声が生じるようにすることを特徴とするオーディオ信号を処理するための装置。
【請求項４５】
前記の装置にデジタルオーディオ信号を記憶するためのメモリもあることを特徴とする請求項44に記載の装置。
【請求項４６】
前記の装置にオーディオ信号増幅器もあり、前記の最終信号増幅器が前記のアナログオーディオ信号に対する増幅を行って前記のアナログオーディオ信号の出力を向上させて前記の静電スピーカーが生じた音声のボリュームを向上させるためのものであることを特徴とする請求項44に記載の装置。
【請求項４７】
デジタル・アナログの変換モジュール、三次微分演算モジュール及び可動コイルスピーカーを含み、前記のデジタル・アナログの変換モジュールが受信したデジタルオーディオ信号を該当するアナログオーディオ信号に変換でき、前記の三次微分演算モジュールが前記のアナログオーディオ信号に対する三次微分の解決演算を行い、前記の三次微分演算モジュールの三次微分の解決演算がハードウェア又はソフトウェアにより達成でき、前記の三次微分演算モジュールにより三次微分の解決演算を行われた前記のアナログオーディオ信号が前記の可動コイルスピーカーの信号入力端に印加されて前記の可動コイルスピーカーに音声が生じるようにすることを特徴とするオーディオ信号を処理するための装置。
【請求項４８】
前記の装置にデジタルオーディオ信号を記憶するためのメモリもあることを特徴とする請求項47に記載の装置。
【請求項４９】
前記の装置にオーディオ信号増幅器もあり、前記の最終信号増幅器が前記のアナログオーディオ信号に対する増幅を行って前記のアナログオーディオ信号の出力を向上させて前記の可動コイルスピーカーが生じた音声のボリュームを向上させることを特徴とする請求項47に記載の装置。
【請求項５０】
デジタル・アナログの変換モジュール、n次微分演算モジュール及び可動コイルスピーカーを含み、前記のデジタル・アナログの変換モジュールが受信したデジタルオーディオ信号を該当するアナログオーディオ信号に変換でき、前記のn次微分演算モジュールが前記のアナログオーディオ信号に対するn次微分の解決演算を行い、前記のn次微分の解決演算が一次、二次、四次又は五次微分の解決演算だけを含み、前記のn次微分演算モジュールの微分演算がハードウェア又はソフトウェアにより達成でき、前記のn次微分演算モジュールにより解決演算を行われたアナログオーディオ信号が前記の可動コイルスピーカーの信号入力端に印加されて前記の可動コイルスピーカーに音声が生じるようにすることを特徴とするオーディオ信号を処理するための装置。
【請求項５１】
前記の装置にデジタルオーディオ信号を記憶するためのメモリもあることを特徴とする請求項50に記載の装置。
【請求項５２】
前記の装置にオーディオ信号増幅器もあり、前記の最終信号増幅器が前記のアナログオーディオ信号に対する増幅を行って前記のアナログオーディオ信号の出力を向上させて前記の可動コイルスピーカーが生じた音声のボリュームを向上させることを特徴とする請求項50に記載の装置。
【請求項５３】
音響電気変換モジュール、二次微分演算モジュール、デジタル・アナログの変換モジュール、キャリアジェネレータ、モジュレーター及びアンテナを含み、前記の音響電気変換モジュールがオーディオ情報ソースが生じた音声情報を該当するアナログオーディオ信号に変換し、前記の二次微分演算モジュールが前記のアナログオーディオ信号に対する二次微分の解決演算を行い、前記の二次微分演算モジュールの二次微分の解決演算はハードウェア又はソフトウェアにより達成でき、前記の二次微分演算モジュールにより二次微分の解決演算を行われた前記のアナログオーディオ信号が前記のデジタル・アナログの変換モジュールの信号入力端に印加され、前記のデジタル・アナログの変換モジュールが受信したアナログオーディオ信号を該当するデジタルオーディオ信号に変換でき、前記のデジタルオーディオ信号を前記のモジュレーターのベースバンド信号入力端に印加し、前記のモジュレーターが受信したデジタルオーディオ信号により前記のキャリアジェネレータが生じたキャリアを変調し、前記のアンテナに通信し、前記のアンテナが受信した変調されたキャリアを電磁波に変換し、送信することを特徴とする通信装置。
【請求項５４】
前記の装置がモジュレーターが出力した変調波に対する増幅を行い、増幅を行われたキャリアを前記のアンテナに通信するための信号増幅器も含むことを特徴とする請求項53に記載の通信装置。
【請求項５５】
音響電気変換モジュール、n次微分演算モジュール、デジタル・アナログの変換モジュール、キャリアジェネレータ、モジュレーター及びアンテナを含み、前記の音響電気変換モジュールがオーディオ情報ソースが生じた音声情報を該当するアナログオーディオ信号に変換でき、前記のn次微分演算モジュールが前記のアナログオーディオ信号に対するn次微分の解決演算を行い、前記のn次微分の解決演算が一次、三次、四次又は五次微分の解決演算だけを含み、前記のn次微分演算モジュールのn次微分の解決演算がハードウェア又はソフトウェアにより達成でき、前記のn次微分演算モジュールにより解決演算を行われた前記のアナログオーディオ信号が前記のデジタル・アナログの変換モジュールの信号入力端に印加され、前記のデジタル・アナログの変換モジュールが受信したアナログオーディオ信号を該当するデジタルオーディオ信号に変換でき、前記のデジタルオーディオ信号を前記のモジュレーターのベースバンド信号入力端に印加し、前記のモジュレーターが受信したデジタルオーディオ信号により前記のキャリアジェネレータが生じたキャリアを変調し前記のアンテナに通信し、前記のアンテナが受信した変調されたキャリアを電磁波に変換し、送信することを特徴とする通信装置。
【請求項５６】
前記の装置がモジュレーターが出力した変調波に対する増幅を行い、増幅を行われたキャリを前記のアンテナに通信するための信号増幅器も含むことを特徴とする請求項55に記載の通信装置。
【請求項５７】
アンテナ、復調器、デジタル・アナログの変換モジュール、二次微分演算モジュール及び静電スピーカーを含み、前記のアンテナが空間からの変調された電磁波を受信し、前記の復調器が受信した変調波から送信端からのデジタルオーディオ信号を還元し、前記のデジタル・アナログの変換モジュールが前記の復調器に還元されたデジタルオーディオ信号を該当するアナログオーディオ信号に変換し、前記の二次微分演算モジュールが前記のアナログオーディオ信号に対する二次微分の解決演算を行い、前記の二次微分演算モジュールの二次微分の解決演算はハードウェア又はソフトウェアにより達成でき、前記の二次微分演算モジュールにより二次微分の解決演算を行われた前記のアナログオーディオ信号が前記の静電スピーカーの信号入力端に印加され、前記の静電スピーカーに音声が生じるようにすることを特徴とする通信装置。
【請求項５８】
前記の装置が前記のアンテナが受信した電気信号に対する増幅を行なうための一次信号増幅器も含むことを特徴とする請求項57に記載の通信装置。
【請求項５９】
前記の装置が前記のデジタル・アナログの変換モジュールが出力したアナログオーディオ信号に対する増幅を行い、前記のアナログオーディオ信号の出力を向上させて前記の静電スピーカーが生じた音声のボリュームを向上させるための最終信号増幅器も含むことを特徴とする請求項57に記載の通信装置。
【請求項６０】
アンテナ、復調器、デジタル・アナログの変換モジュール、n次微分演算モジュール及び静電スピーカーを含み、前記のアンテナが空間からの変調された電磁波を受信し、前記の復調器が受信した変調波から送信端からのデジタルオーディオ信号を還元し、前記のデジタル・アナログの変換モジュールが前記の復調器に還元されたデジタルオーディオ信号を該当するアナログオーディオ信号に変換し、前記のn次微分演算モジュールが前記のアナログオーディオ信号に対するn次微分の解決演算を行い、前記のn次微分の解決演算が一次又は三次微分の解決演算だけを含み、前記のn次微分演算モジュールのn次微分の解決演算がハードウェア又はソフトウェアにより達成でき、前記のn次微分演算モジュールにより解決演算を行われた前記のアナログオーディオ信号が前記の静電スピーカーの信号入力端に印加され、前記の静電スピーカーに音声が生じるようにすることを特徴とする通信装置。
【請求項６１】
前記の装置が前記のアンテナが受信した電気信号に対する増幅を行なうための一次信号増幅器も含むことを特徴とする請求項60に記載の通信装置。
【請求項６２】
前記の装置が前記のアナログオーディオ信号に対する増幅を行って前記のアナログオーディオ信号の出力を向上させて前記の静電スピーカーが生じた音声のボリュームを向上させるための最終信号増幅器も含むことを特徴とする請求項60に記載の通信装置。
【請求項６３】
アンテナ、復調器、デジタル・アナログの変換モジュール、三次微分演算モジュール及び可動コイルスピーカーを含み、前記のアンテナが空間からの変調された電磁波を受信し、前記の復調器が受信した変調波から送信端からのデジタルオーディオ信号を還元し、前記のデジタル・アナログの変換モジュールが前記の復調器に還元されたデジタルオーディオ信号を該当するアナログオーディオ信号に変換し、前記の三次微分演算モジュールが前記のアナログオーディオ信号に対する三次微分の解決演算を行い、前記の三次微分演算モジュールの三次微分の解決演算はハードウェア又はソフトウェアにより達成でき、前記の三次微分演算モジュールにより三次微分の解決演算を行われた前記のアナログオーディオ信号が前記の可動コイルスピーカーの信号入力端に印加されて前記の可動コイルスピーカーに音声が生じるようにすることを特徴とする通信装置。
【請求項６４】
前記の装置が前記のアンテナが受信した電気信号に対する増幅を行なうための一次信号増幅器も含むことを特徴とする請求項63に記載の通信装置。
【請求項６５】
前記の装置が前記のアナログオーディオ信号に対する増幅を行って前記のアナログオーディオ信号の出力を向上させて前記の可動コイルスピーカーが生じた音声のボリュームを向上させるための最終信号増幅器も含むことを特徴とする請求項63に記載の通信装置。
【請求項６６】
アンテナ、復調器、デジタル・アナログの変換モジュール、n次微分演算モジュール及び可動コイルスピーカーを含み、前記のアンテナが空間からの変調された電磁波を受信し、前記の復調器が受信した変調波から送信端からのデジタルオーディオ信号を還元し、前記のデジタル・アナログの変換モジュールが前記の復調器に還元されたデジタルオーディオ信号を該当するアナログオーディオ信号に変換し、前記のn次微分演算モジュールが前記のアナログオーディオ信号に対するn次微分の解決演算を行い、前記のn次微分の解決演算が一次、二次、四次又は五次微分の解決演算だけを含み、前記のn次微分演算モジュールの微分演算がハードウェア又はソフトウェアにより達成でき、前記のn次微分演算モジュールにより解決演算を行われた前記のアナログオーディオ信号が前記の可動コイルスピーカーの信号入力端に印加されて前記の可動コイルスピーカーに音声が生じるようにすることを特徴とする通信装置。
【請求項６７】
前記の装置が前記のアンテナが受信した電気信号に対する増幅を行なうための一次信号増幅器も含むことを特徴とする請求項66に記載の通信装置。
【請求項６８】
前記の装置が前記のアナログオーディオ信号に対する増幅を行って前記のアナログオーディオ信号の出力を向上させて前記の可動コイルスピーカーが生じた音声のボリュームを向上させるための最終信号増幅器も含むことを特徴とする請求項66に記載の通信装置。
【発明の詳細な説明】
【技術分野】
【０００１】
本発明は音像技術分野、具体的に、静電スピーカー、可動コイルスピーカー及びオーディオ信号を処理するための装置に関わる。
【背景技術】
【０００２】
オーディオソース機器用デジタル技術及びHi-Fiオーディオアンプが出てきて、忠実度の高い音響システムでは、最終出力増幅器が出力したオーディオ信号は小さなねじれ（≦0.02%）に達成できるが、現在、スピーカーの主流製品としての可動コイルスピーカーはねじれが大きく、2〜3%程度であり、忠実度の高いデジタルオーディオ信号の音声情報を還元できなく、音響システムのボトルネックとなっている。図1及び図2はそれぞれ可動コイルスピーカーの構造図及び原理図であり、ダイヤフラム（102）、プログレッシブレジスタンススパイダー（104）及び音声コイル（103）がつながっていて、音声コイル（103）が磁界（図2で矢印の付いた収束する点線で示す）にあり、オーディオ電流が音声コイル（103）を経る場合、磁界力の作用を受けて振動し、ダイヤフラム（102）が振動して音声が生じるようにする。
図2に示すとおりに、音声コイル（103）がある磁界の磁気誘導の強さをB、音声コイル（103）の質量をm、抵抗をr、音声コイルのリードワイヤーの有効長さをl、インダクタンスをLにすると、開始時間にオーディオ信号u(t)=Ansin(nωt＋φn) V、n =1、2、3、……を入力し、所定の期間tを経つと、音声コイル（103）の速度がv(t)、電流がi(t)となると、下記となる。
【０００３】
【数１】
2021527374.tif 000003
【数２】
2021527374.tif 000004
【０００４】
（1）、（2）によると、下記となる。
【０００５】
【数３】
2021527374.tif 000005
【０００６】
u(t)=Ansin(nωt＋φn)V、n =1、2、3、……を（3）式に代入して整理すると、下記となる。
【０００７】
【数４】
2021527374.tif 000006
【０００８】
（4）式によりi(t)を取得し、更に音声コイル（103）の速度：
2021527374.tif 000007
最後に音声コイル（103）の振動方程［つまり、ダイヤフラム（102）の振動方程］としての
2021527374.tif 000008
を取得し、それにより可動コイルスピーカーのねじれに対する定量分析を行うことができるが、（4）式によりi(t)を解決するには非線形微分方程による計算が必要であり、演算が複雑であり、i(t)を取得できないことさえもある。
【０００９】
可動コイルスピーカーのねじれに関する定量分析を行なうために、次に重ね合わせの原理で近似処理を行なう。音声コイルの動作が生じた起電力（Blv）と音声コイル抵抗及びインダクタンスの電圧を個別に検討し、最後に重ね合わせを行って音声コイルの実績電流i(t)を取得する。
【００１０】
図2は可動コイルスピーカーの原理図であり、音声コイル（103）がある磁界の磁気誘導の強さをB、音声コイル（103）の質量をm、抵抗をr、音声コイルのリードワイヤーの有効長さをl、インダクタンスをLにし、t=0の時にオーディオ信号のu(t)=Ansin(nωt＋φn) V、n =1、2、3、……を入力し、音声コイル（103）のインピーダンスがZ=r＋jnωL 、n =1、2、3、……となり、所定の期間tを経つと、音声コイル（103）の電流がi(t)となる。キルヒホフの電圧法則によると、下記となる。
2021527374.tif 000009
よって、
【００１１】
【数５】
2021527374.tif 000010
【００１２】
（5）式の中、式の右の第一項が過渡電流i0(t)［t→∞の場合、i0(t)=0］、第二項が定常電流i1(t)である。定常電流i1(t)にしか入力オーディオ信号u(t)の情報がないので、定常電流i1(t )しかスピーカーの出力音声情報のねじれに影響を与えない。容易にスピーカーのねじれについて検討するために、定常電流i1(t)しか考えない。式（5）によると、音声コイル(103)の定常電流が下記となる。
【００１３】
【数６】
2021527374.tif 000011
【００１４】
注：式（6）によると、音声コイルの定常電流は入力オーディオ信号と同じ周波数の正弦信号であり、位相に入力オーディオ信号に対して角度の
2021527374.tif 000012
の位相シフトがあり、定常電流の幅が、入力オーディオ信号の幅÷音声コイルインピーダンスによる係数である。次に、スピーカーによる信号処理に関わる場合、関係の定常電流が共にこのように取得するので、一々に演算及び説明をしない。
【００１５】
音声コイル（103）が受けたアンペア力が下記となる。
2021527374.tif 000013
音声コイル（103）の加速度：
2021527374.tif 000014
【００１６】
音声コイル（103）の速度は下記となる。
2021527374.tif 000015
2021527374.tif 000016
【００１７】
音声コイル（103）が磁気誘導線を切断して生じた反起電力が下記となる。
2021527374.tif 000017
【００１８】
反起電力E反を考えて、音声コイル（103）の実際電流の定常分が下記となる。
2021527374.tif 000018
【００１９】
音声コイル（103）では、定常電流i′により、受けたアンペア力が下記となる。
2021527374.tif 000019
【００２０】
音声コイル（103）の実績加速度が下記となる。
2021527374.tif 000020
2021527374.tif 000021
【００２１】
音声コイル（103）の実績速度が下記となる。
2021527374.tif 000022
2021527374.tif 000023
【００２２】
よって、音声コイル（103）の振動方程［即ちダイヤフラム（102）の振動方程。ダイヤフラム（102）及び音声コイル（103）がプログレッシブレジスタンススパイダー（104）によりつながっているからである］が下記となる。
【００２３】
【数７】
2021527374.tif 000024
2021527374.tif 000025
2021527374.tif 000026
【００２４】
（7）式の中、
2021527374.tif 000027
及び
2021527374.tif 000028
は前記の可動コイルスピーカーに還元された音声情報であり、二者の間に位相差の
2021527374.tif 000029
、n=1、2、3、……がある。この位相差により、
2021527374.tif 000030
及び
2021527374.tif 000031
が互いに妨害し、音質に影響を与える。また、それらの幅が共にnωの関数であるので、可動コイルスピーカーに振幅周波数のねじれ（線形ねじれ）があることを示し、
2021527374.tif 000032
2021527374.tif 000033
2021527374.tif 000034
2021527374.tif 000035
及び
2021527374.tif 000036
は前記の可動コイルスピーカーが前記の入力オーディオ信号を処理する過程に生じた騒音である。式（7）によると、可動コイルスピーカーは振幅周波数のねじれでも騒音でもとてもひどく、これらのねじれ及び騒音が可動コイルスピーカーの動作原理によるものである。また、音声コイルがある磁界の不均一及び非対称、プログレッシブレジスタンススパイダーの変位が駆動力の非線形などもねじれにつながる。これらのねじれは可動コイルスピーカーの（静電スピーカーに対して）複雑な機械的構造によるものである。
【００２５】
忠実度の高いデジタルオーディオ信号（ねじれ≦0.02%）の音声情報を還元するために、静電スピーカーを採用できる。その原理は図3のとおりであり、入力オーディオ信号がオーディオトランスフォーマー（301）により200〜300倍に昇圧してから固定極板（303）の2つに印加され、高圧直流電源（302）がダイヤフラム（304）に正味の電荷（静電荷でもある）を提供し、固定極板（303）の2つがコンデンサに相当し、そのキャパシタンスをCにし、オーディオトランスフォーマー（301）が出力したオーディオ信号
u(t) =Ansin (nωt＋φn)V、n =1、2、3、……
にし、t=0の時に固定極板（303）に印加されるとすると、固定極板（303）に流れ込む電流が下記となる。
2021527374.tif 000037
【００２６】
固定極板（303）の2つの間の電圧が下記となる。
2021527374.tif 000038
【００２７】
固定極板（303）の2つの間の距離をdにすると、極板の2つの間の電界の強さが下記となる。
2021527374.tif 000039
【００２８】
ダイヤフラム（304）に付く静電量をqにすると、ダイヤフラム（304）が受けた電界力が下記となる。
2021527374.tif 000040
【００２９】
ダイヤフラム（304）の質量をmにすると、ダイヤフラム（304）の加速度が下記となる。
2021527374.tif 000041
【００３０】
ダイヤフラム（304）の速度が下記となる。
2021527374.tif 000042
【００３１】
よって、ダイヤフラム（304）の振動方程が下記となる。
【００３２】
【数８】
2021527374.tif 000043
2021527374.tif 000044
【００３３】
（8）式の中、
2021527374.tif 000045
は静電スピーカーに還元された音声情報であり、その幅もnωの関数であるので、静電スピーカーに振幅周波数のねじれもあり、周波数が高ければ高いほどねじれがひどくなり、信号の相対幅（検討する高周波成分と他の周波数分量との相対幅と元の入力信号で対応する周波数分量の相対幅との比較を指す）が小さければ小さいほど、オーディオ信号の高周波成分が抑圧されることを示す。
2021527374.tif 000046
2021527374.tif 000047
及び
2021527374.tif 000048
は前記の静電スピーカーの入力オーディオ信号を処理する過程に生じた騒音である。
【００３４】
式（8）、（7）を比べてみると、静電スピーカーは振幅周波数のねじれでも騒音でも可動コイルスピーカーより小さい。また、静電スピーカーは構造が簡単であり、ダイヤフラムの質量がとても軽いので、機械部品が信号に対してねじれがほとんど生じない。
【００３５】
静電スピーカーの長所：理論ねじれが小さく、ダイヤフラムの質量がとても軽いので、柔軟性がとても優れていて、解析力がとてもよく、音楽信号の中の極めて微細な変化を捕らえることができ、非常にリアルに感じられ、背景騒音が小さく、現場感があり、充分に音楽の味を表現できる。
【００３６】
静電スピーカーの短所：分極電圧が必要であり、鉄心材料及びコイルの巻き方に対するオーディオトランスフォーマーの需要が非常に細かく、標準化生産がし難く、製品のパフォーマンスが技師の技術及び経験に応じるので、産出量が低く、コストが高い。
【００３７】
効果から見ると、画像情報が位相ねじれに敏感であり、音声情報が幅ねじれに敏感である。各周波数分量に対する信号の幅のねじれが振幅周波数のねじれと呼ばれる（振幅周波数のねじれと幅ねじれは意味が同じであり、混用する場合が多い）。前記の分析によると、静電スピーカーにも可動コイルスピーカーにも重大な振幅周波数のねじれがある。
【発明の概要】
【発明が解決しようとする課題】
【００３８】
本発明の技術策は静電スピーカー（静電力による駆動）及び可動コイルスピーカー（磁界力による駆動）の振幅周波数のねじれを削減できる。
【課題を解決するための手段】
【００３９】
静電スピーカーの振幅周波数のねじれを削減するために、入力オーディオ信号が前記の静電スピーカーの固定極板の2つに通信されるまで一次微分の解決演算を行うことができる。図4の通りに、固定極板（303）の2つがコンデンサに相当し、そのキャパシタンスがCと表示され、オーディオトランスフォーマー（301）が出力したオーディオ信号
u(t) =Ansin(nωt＋φn) V、n=1、2、3、……にし、u(t)に対する微分を求めると、下記となる。
u′(t) =Ancos(nωt＋φn)・nω=nωAncos(nωt＋φn)、n=1、2、3、……
【００４０】
t=0の時に信号u′(t)を前記の静電スピーカーの固定極板（303）の2つに印加し、固定極板（303）に流れ込む電流が下記となる。
2021527374.tif 000049
【００４１】
固定極板（303）の2つの間の電圧が下記となる。
2021527374.tif 000050
2021527374.tif 000051
【００４２】
固定極板（303）の2つの間の距離をdにすると、極板の2つの間の電界の強さが下記となる。
2021527374.tif 000052
【００４３】
ダイヤフラム（304）に付く静電量をqにすると、ダイヤフラム（304）が受けた電界力が下記となる。
2021527374.tif 000053
【００４４】
ダイヤフラム（304）質量をmにすると、ダイヤフラム（304）の加速度が下記となる。
2021527374.tif 000054
【００４５】
ダイヤフラム（304）の速度が下記となる。
2021527374.tif 000055
【００４６】
よって、ダイヤフラム（304）の振動方程が下記となる。
【００４７】
【数９】
2021527374.tif 000056
2021527374.tif 000057
【００４８】
(9）式の中、
2021527374.tif 000058
は前記の静電スピーカーに還元された音声情報、
2021527374.tif 000059
2021527374.tif 000060
2021527374.tif 000061
は騒音である。式（8）、（9）の中の
2021527374.tif 000062
及び
2021527374.tif 000063
を比べてみると、前記の静電スピーカーは振幅周波数のねじれが小さくなった。よって、入力オーディオ信号u(t)が固定極板(303)の2つに通信されるまで一次微分の解決演算を行って静電スピーカーの振幅周波数のねじれを削減できるが、（9）式の中、
2021527374.tif 000064
の幅が相変わらずnωの関数であり、振幅周波数のねじれもある。より一層ねじれを削減するために、入力オーディオ信号に対する二次微分の解決演算を行ってからそれをスピーカーの固定極板に印加することができる。
【００４９】
図5のとおりに、u(t) =Ansin(nωt＋φn) V、n=1、2、3、……に対する微分を求めると、下記となる。
u′(t) =Ancos (nωt＋φn)・nω=nωAncos (nωt＋φn)、n=1、2、3、……
【００５０】
u′(t) 再導出によると、
2021527374.tif 000065
【００５１】
t=0の時に信号u′′(t)を静電スピーカーの固定極板（303）の2つに印加し、固定極板（303）に流れ込む電流が下記となる。
2021527374.tif 000066
【００５２】
固定極板（303）の2つの間の電圧が下記となる。
2021527374.tif 000067
【００５３】
固定極板（303）の2つの間の距離をdにすると、前記の極板の間の電界の強さが下記となる。
2021527374.tif 000068
【００５４】
ダイヤフラム（304）に付く静電量をqにすると、ダイヤフラム（304）が受けた電界力が下記となる。
2021527374.tif 000069
【００５５】
ダイヤフラム（304）質量をmにすると、ダイヤフラム（304）の加速度が下記となる。
2021527374.tif 000070
【００５６】
ダイヤフラム（304）の速度が下記となる。
2021527374.tif 000071
【００５７】
よって、ダイヤフラム（304）の振動方程が下記となる。
【００５８】
【数１０】
2021527374.tif 000072
2021527374.tif 000073
【００５９】
（10）式の中、
2021527374.tif 000074
は前記の静電スピーカーに還元された音声情報であり、振幅周波数のねじれがなく、
2021527374.tif 000075
2021527374.tif 000076
2021527374.tif 000077
は騒音である。式（8）、（10）を比べてみると、入力オーディオ信号u(t)が固定極板の2つに通信されるまでそれに対する二次微分の解決演算を行い、理論で静電スピーカーの振幅周波数のねじれを完全に除去できる。
【００６０】
実のところ、入力オーディオ信号u(t)に対する三次微分の解決演算を行ってからそれを静電スピーカーの固定極板に印加してもスピーカーの振幅周波数のねじれを削減できる。
【００６１】
図7のとおりに、u′′(t) =−n2ω2 An sin(nωt＋φn)、n=1、2、3、……に対する微分を求めると、下記となる。
u′′′ (t) =−n2ω2 An cos(nωt＋φn)・nω=−n3ω3 An cos(nωt＋φn)、n=1、2、3、……
【００６２】
t=0の時に信号u′′′ (t)を静電スピーカーの固定極板（303）の2つに印加し、固定極板（303）に流れ込む電流が下記となる。
2021527374.tif 000078
【００６３】
固定極板（303）の2つの間の電圧が下記となる。
2021527374.tif 000079
【００６４】
固定極板（303）の2つの間の距離をdにすると、前記の極板の間の電界の強さが下記となる。
2021527374.tif 000080
【００６５】
ダイヤフラム（304）に付く静電量をqにすると、ダイヤフラム（304）が受けた電界力が下記となる。
2021527374.tif 000081
【００６６】
ダイヤフラム（304）質量をmにすると、ダイヤフラム（304）の加速度が下記となる。
2021527374.tif 000082
【００６７】
ダイヤフラム（304）の速度が下記となる。
2021527374.tif 000083
【００６８】
よって、ダイヤフラム（304）の振動方程が下記となる。
【００６９】
【数１１】
2021527374.tif 000084
【００７０】
（11）式の中、
2021527374.tif 000085
は前記の静電スピーカーに還元された音声情報、
2021527374.tif 000086
2021527374.tif 000087
2021527374.tif 000088
は騒音である。（8）、（11）を比べてみると、入力オーディオ信号u(t)が固定極板(303)の2つに通信されるまでそれに対する三次微分の解決演算を行ってもスピーカーの振幅周波数のねじれを削減できる。
【００７１】
式（8）、（9）、（10）、（11）を比べてみると、入力オーディオ信号u(t)が固定極板(303)に通信されるまでそれに対する一次、二次又は三次微分の解決演算のいずれかを行って静電スピーカーの振幅周波数のねじれを削減できる。その中、二次微分解決演算を行なうと効果が良い。
【００７２】
可動コイルスピーカーの場合：
【００７３】
図2のとおりに、音声コイル（103）がある磁界の磁気誘導の強さをB、音声コイル（103）の質量をm、抵抗をr、音声コイルのリードワイヤーの有効長さをl、インダクタンスをLにすると、音声コイル（103）のインピーダンスがZ=r＋jnωL 、n =1、2、3、……となり、入力オーディオ信号u(t) =Ansin(nωt＋φn) V、n=1、2、3、……にし、信号u(t)の一次微分u′(t) =nωAncos (nωt＋φn)、n=1、2、3、……をt=0の時に音声コイル（103）に印加し、音声コイル（103）の定常電流（入力オーディオ信号を含む情報）が下記となる。
2021527374.tif 000089
(この式は音声コイルの動作が生じた起電力Blvを考慮に入れない)
【００７４】
音声コイル（103）が定常電流iにより受けたアンペア力が下記となる。
2021527374.tif 000090
【００７５】
音声コイル（103）の加速度：
2021527374.tif 000091
【００７６】
音声コイル（103）の速度が下記となる。
2021527374.tif 000092
【００７７】
音声コイル（103）が磁気誘導線を切断して生じた反起電力が下記となる。
2021527374.tif 000093
【００７８】
反起電力E反を考えて、音声コイル（103）の実際電流の定常分（入力オーディオ信号を含む情報）が下記となる。
2021527374.tif 000094
【００７９】
音声コイル（103）が受けたアンペア力が下記となる。
2021527374.tif 000095
【００８０】
音声コイル（103）の実績加速度が下記となる。
2021527374.tif 000096
【００８１】
音声コイル（103）の実績速度が下記となる。
2021527374.tif 000097
2021527374.tif 000098
【００８２】
よって、音声コイル（103）の振動方程［即ちダイヤフラム（102）の振動方程。ダイヤフラム（102）及び音声コイル（103）がプログレッシブレジスタンススパイダー（104）によりつながっているからである］が下記となる。
【００８３】
【数１２】
2021527374.tif 000099
2021527374.tif 000100
2021527374.tif 000101
【００８４】
（12）式の中、
2021527374.tif 000102
及び
2021527374.tif 000103
は前記の可動コイルスピーカーに還元された音声情報、他の項は騒音である。式（7）と（12）の中の
2021527374.tif 000104
と
2021527374.tif 000105
2021527374.tif 000106
と
2021527374.tif 000107
を比べてみると、前記のスピーカーの振幅周波数のねじれが小さくなったが、完全に除去されていない。より一層前記のスピーカーの振幅周波数のねじれを削減するために、入力オーディオ信号に対する二次微分の解決演算を行ってからそれを音声コイルに印加することができる。
【００８５】
図2のとおりに、音声コイル（103）がある磁界の磁気誘導の強さをB、音声コイル（103）の質量をm、抵抗をr、音声コイルのリードワイヤーの有効長さをl、インダクタンスをLにすると、音声コイル（103）のインピーダンスがZ=r＋jnωL 、n =1、2、3、……となり、入力オーディオ信号u(t) =Ansin(nωt＋φn) V、n=1、2、3、……にし、信号u(t)の二次微分u′′(t) =−n2ω2 An sin(nωt＋φn)、n=1、2、3、……をt=0の時に音声コイル（103）に印加し、音声コイル（103）の定常電流（入力オーディオ信号を含む情報）が下記となる。
2021527374.tif 000108
(この式は音声コイルの動作が生じた起電力Blvを考慮に入れない)
【００８６】
音声コイル（103）が定常電流iにより受けたアンペア力が下記となる。
2021527374.tif 000109
【００８７】
音声コイル（103）の加速度：
2021527374.tif 000110
【００８８】
音声コイル（103）の速度が下記となる。
2021527374.tif 000111
2021527374.tif 000112
【００８９】
音声コイル（103）が磁気誘導線を切断して生じた反起電力が下記となる。
2021527374.tif 000113
【００９０】
反起電力E反を考えて、音声コイル（103）の実際電流の定常分（入力オーディオ信号を含む情報）が下記となる。
2021527374.tif 000114
【００９１】
音声コイル（103）が受けたアンペア力が下記となる。
2021527374.tif 000115
【００９２】
音声コイル（103）の実績加速度が下記となる。
2021527374.tif 000116
2021527374.tif 000117
【００９３】
音声コイル（103）の実績速度が下記となる。
2021527374.tif 000118
2021527374.tif 000119
【００９４】
よって、音声コイル（103）の振動方程［即ちダイヤフラム（102）の振動方程。ダイヤフラム（102）及び音声コイル（3）がプログレッシブレジスタンススパイダー（104）によりつながっているからである］が下記となる。
【００９５】
【数１３】
2021527374.tif 000120
2021527374.tif 000121
2021527374.tif 000122
【００９６】
式（13）の中、
2021527374.tif 000123
と
2021527374.tif 000124
は前記の可動コイルスピーカーに還元された音声情報、他の項は騒音である。式（7）と（13）の中の
2021527374.tif 000125
と
2021527374.tif 000126
2021527374.tif 000127
と
2021527374.tif 000128
を比べてみると、前記のスピーカーの振幅周波数のねじれが小さくなったが、完全に除去されていない。
【００９７】
入力オーディオ信号u(t)に対する三次微分の解決演算を行ってからそれを前記のスピーカーの音声コイルに印加すると、
u(t)の二次微分u′′(t) =−n2ω2 An sin(nωt＋φn)、n=1、2、3、……に対する微分を求めると、下記となる。
【００９８】
u′′′(t) =−n2ω2 An cos (nωt＋φn)・nω=−n3ω3 An cos (nωt＋φn)、n=1、2、3、……となり、t=0の時にu′′′  (t)を音声コイル（103）に印加し、音声コイル（103）の定常電流（入力オーディオ信号を含む情報）が下記となる。
2021527374.tif 000129
(この式は音声コイルの動作が生じた起電力Blvを考慮に入れない)
【００９９】
音声コイル（103）がi3定常電流により受けたアンペア力が下記となる。
2021527374.tif 000130
【０１００】
音声コイル（103）の加速度：
2021527374.tif 000131
【０１０１】
音声コイル（103）の速度：
2021527374.tif 000132
【０１０２】
音声コイル（103）が磁気誘導線を切断して生じた反起電力が下記となる。
2021527374.tif 000133
【０１０３】
反起電力E反を考えて、音声コイル（103）の実際電流の定常分（入力オーディオ信号を含む情報）が下記となる。
2021527374.tif 000134
【０１０４】
音声コイル（103）が受けたアンペア力が下記となる。
2021527374.tif 000135
2021527374.tif 000136
【０１０５】
音声コイル（103）の実績加速度が下記となる。
2021527374.tif 000137
【０１０６】
音声コイル（103）の実績速度が下記となる。
2021527374.tif 000138
2021527374.tif 000139
【０１０７】
よって、音声コイル（103）の振動方程［即ちダイヤフラム（102）の振動方程。ダイヤフラム（102）及び音声コイル（103）がプログレッシブレジスタンススパイダー（104）によりつながっているからである］が下記となる。
【０１０８】
【数１４】
2021527374.tif 000140
2021527374.tif 000141
2021527374.tif 000142
【０１０９】
式（14）の中、
2021527374.tif 000143
と
2021527374.tif 000144
は前記の可動コイルスピーカーに還元された音声情報、他の項は騒音である。式（7）と（14）の中の
2021527374.tif 000145
と
2021527374.tif 000146
2021527374.tif 000147
と
2021527374.tif 000148
を比べてみると、前記のスピーカーの振幅周波数のねじれがより一層小さくなった。また、式（13）と（14）の中の
2021527374.tif 000149
と
2021527374.tif 000150
2021527374.tif 000151
と
2021527374.tif 000152
との幅を比べてみると、入力オーディオ信号に対する三次微分の解決演算を行なう場合、二次微分の解決演算を行ってからそれを音声コイルに印加する場合よりスピーカー振幅周波数のねじれを削減する効果が更に良い。
【０１１０】
前記によると、可動コイルスピーカー（磁界力による駆動）の場合、入力オーディオ信号に対する一次、二次又は三次微分の解決演算を行って前記のスピーカーの音声コイルに印加すると、スピーカーの振幅周波数のねじれを削減できるが、完全に除去できない。
【０１１１】
入力オーディオ信号u (t)に対する四次微分の解決演算を行って前記のスピーカーの音声コイルに印加すると、
u′′′ (t) =−n3ω3 An cos (nωt＋φn)、n=1、2、3、……に対する微分を求めると、下記となる。
u (4) (t) =−n3ω3 An［−sin(nωt＋φn)］・nω=n4ω4 An sin(nωt＋φn)、n=1、2、3、……となり、t=0の時にu (4) (t)を音声コイル（103）に印加し、音声コイル（103）の定常電流（入力オーディオ信号を含む情報）が下記となる。 
2021527374.tif 000153
(この式は音声コイルの動作が生じた起電力Blvを考慮に入れない)
【０１１２】
音声コイル（103）が定常電流i4により受けたアンペア力が下記となる。
2021527374.tif 000154
【０１１３】
音声コイル（103）の加速度：
2021527374.tif 000155
【０１１４】
音声コイル（103）の速度：
2021527374.tif 000156
【０１１５】
音声コイル（103）が磁気誘導線を切断して生じた反起電力が下記となる。
2021527374.tif 000157
【０１１６】
反起電力E反を考えて、音声コイル（103）の実際電流の定常分（入力オーディオ信号を含む情報）が下記となる。
2021527374.tif 000158
【０１１７】
音声コイル（103）が受けたアンペア力が下記となる。
2021527374.tif 000159
【０１１８】
音声コイル（103）の実績加速度が下記となる。
2021527374.tif 000160
【０１１９】
音声コイル（103）の実績速度が下記となる。
2021527374.tif 000161
2021527374.tif 000162
【０１２０】
よって、音声コイル（103）の振動方程［即ちダイヤフラム（102）の振動方程。ダイヤフラム（102）及び音声コイル（103）がプログレッシブレジスタンススパイダー（104）によりつながっているからである］が下記となる。
【０１２１】
【数１５】
2021527374.tif 000163
2021527374.tif 000164
2021527374.tif 000165
【０１２２】
式（15）の中、
2021527374.tif 000166
と
2021527374.tif 000167
は前記の可動コイルスピーカーに還元された音声情報、他の項は騒音である。式（7）と（15）の中の
2021527374.tif 000168
と
2021527374.tif 000169
2021527374.tif 000170
と
2021527374.tif 000171
を比べてみると、前記のスピーカーの振幅周波数のねじれが小さくなった。よって、入力オーディオ信号u(t)に対する四次微分の解決演算を行ってからそれを音声コイルに印加してもスピーカーの振幅周波数のねじれを削減できる。
【０１２３】
入力オーディオ信号u(t)に対する五次微分の解決演算を行ってからそれを前記の可動コイルスピーカーの音声コイルに印加すると、
u (4) (t) =n4ω4 An sin(nωt＋φn)、n=1、2、3、……に対する微分を求めると、下記となる。
u (5) (t) =n4ω4 An cos(nωt＋φn)・nω=n5ω5 An cos(nωt＋φn)、n=1、2、3、……
【０１２４】
t=0の時にu(5)(t)を音声コイル（103）に印加し、音声コイル（103）の定常電流（入力オーディオ信号を含む情報）が下記となる。
2021527374.tif 000172
(この式は音声コイルの動作が生じた起電力Blvを考慮に入れない)
【０１２５】
音声コイル（103）が定常電流i5により受けたアンペア力が下記となる。
2021527374.tif 000173
【０１２６】
音声コイル（103）の加速度：
2021527374.tif 000174
【０１２７】
音声コイル（103）の速度：
2021527374.tif 000175
【０１２８】
音声コイル（103）が磁気誘導線を切断して生じた反起電力が下記となる。
2021527374.tif 000176
【０１２９】
反起電力E反を考えて、音声コイル（103）の実際電流の定常分（入力オーディオ信号を含む情報）が下記となる。
2021527374.tif 000177
【０１３０】
音声コイル（103）が受けたアンペア力が下記となる。
2021527374.tif 000178
【０１３１】
音声コイル（103）の実績加速度が下記となる。
2021527374.tif 000179
【０１３２】
音声コイル（103）の実績速度が下記となる。
2021527374.tif 000180
2021527374.tif 000181
2021527374.tif 000182
【０１３３】
よって、音声コイル（103）の振動方程［即ちダイヤフラム（102）の振動方程。ダイヤフラム（102）及び音声コイル（103）がプログレッシブレジスタンススパイダー（104）によりつながっているからである］が下記となる。
【０１３４】
【数１６】
2021527374.tif 000183
2021527374.tif 000184
2021527374.tif 000185
【０１３５】
式（16）の中、
2021527374.tif 000186
と
2021527374.tif 000187
は前記のスピーカーに還元された音声情報、他の項は騒音である。式（7）と（16）を比べてみると、前記のスピーカーの振幅周波数のねじれが小さくなった。よって、入力オーディオ信号に対する五次微分の解決演算を行ってからそれを音声コイルに印加しても可動コイルスピーカーの振幅周波数のねじれを削減できる。
【０１３６】
式（7）、（12）、（13）、（14）、（15）、（16）を比べてみると、可動コイルスピーカー出力に位相角が
2021527374.tif 000188
及び
2021527374.tif 000189
である音声情報を含み、入力信号に対することなる次の微分演算を行う場合、この2項に対する幅ねじれ削減の効果も違う。
【０１３７】
まとめて言うと、静電スピーカーに対して、入力オーディオ信号に対する一次、二次又は三次微分の解決演算を行ってからそれを前記のスピーカーの固定極板に印加すると、前記のスピーカーの振幅周波数のねじれを削減できる。その中、二次微分の解決演算を行なうと、完全に前記のスピーカーの振幅周波数のねじれを除去でき、可動コイルスピーカーに対して、入力オーディオ信号に対する一次、二次、三次、四次又は五次微分の解決演算を行ってそれを前記のスピーカーの音声コイルに印加すると、前記のスピーカーの振幅周波数のねじれを削減できるが、完全に除去できない。その中、三次微分の解決演算を行なう場合は効果が良い。
【０１３８】
静電スピーカー（静電力による駆動）及び可動コイルスピーカー（磁界力による駆動）入力オーディオ信号に対する処理過程によると、積分演算でも微分演算でも前記の信号の振幅周波数のねじれにつながり、効果がちょうど反対し（即ち、微分演算により、入力信号の幅が元のnω倍となり、積分演算により、入力信号の幅が元の1/nωとなり、そして前記の入力信号の周波数に関わる。例えば、静電スピーカー固定極板（303）の2つの間の電圧の向上過程（積分演算）、ダイヤフラム（304）動作の加速過程（積分演算）、可動コイルスピーカーの音声コイル（103）の電流の向上過程（積分演算）、音声コイル（103）動作の加速過程（積分演算）など。よって、静電スピーカーにも可動コイルスピーカーにも積分演算があり、且つそのような積分演算が不可欠であり、その動作原理に必要である。導出が積分の逆演算であるので、前記の入力オーディオ信号に対する適切な微分演算を行い（即ち、積分演算が生じた振幅周波数のねじれに対する事前補償を行い、「逆ねじれ」でねじれを補償する。それはねじれが最後にダイヤフラムの振動で出てくると応対できなくなるからである）、それをスピーカーに印加してから積分演算が生じた振幅周波数のねじれを校正できる。よって、本発明の技術策の実質として、スピーカーがオーディオ信号に対する積分演算を行って振幅周波数のねじれ（そのような積分演算が必要である）が生じるので、積分演算が生じた振幅周波数のねじれを校正するために、オーディオ信号に対する適切な微分演算（即ち、入力オーディオ信号に対する「事前補償」を行なう）が必要である。また、そのような微分演算はハードウェアでもソフトウェアでも達成できる。
【０１３９】
入力オーディオ信号に対する微分演算と前記の信号に対する他の処理過程（増幅、フィルタなど）は互いに独立するので、静電スピーカー（静電力による駆動）からなる音響システムも可動コイルスピーカー（磁界力による駆動）からなる音響システムも問わず、具体的に入力信号の「微分演算」を音響システムのどの手順で行ってもスピーカーのねじれ削減というその最終的な効果を妨害する恐れがない。静電スピーカーに対する場合、前記の「微分演算」をオーディオトランスフォーマーと固定極板の2つの間の信号通信ルートに置いて行ってもいいし、それをオーディオトランスフォーマーの内部に集積して行ってもいい。
【０１４０】
普通、音響システムのオーディオ信号増幅器は多段増幅のものであり、入力オーディオ信号に対する微分演算の一次又は数次を前記のオーディオ信号増幅器のある段又は数段に集積して行っても前記の「微分演算」が信号振幅周波数のねじれを削減するという最終的な効果を妨害する恐れがない。
【０１４１】
静電スピーカーと可動コイルスピーカーを比べ、入力オーディオ信号に対して適当な「次」の微分演算を行ってスピーカーの振幅周波数のねじれを削減できるが、効果が違う。即ち、静電スピーカーに対して理論で完全に振幅周波数のねじれを除去でき、可動コイルスピーカーに対して振幅周波数のねじれを削減できるが、完全に除去できない。それはオーディオ信号に対する可動コイルスピーカーの処理過程が更に複雑であるためである。即ち、音声コイルはインダクタンスが信号のねじれにつながり、音声コイルが動作して磁気誘導線を切断して反起電力が生じても信号のねじれにつながる。導体と磁界との間に相対動作があると（磁気誘導線を切断する）、反起電力（この起電力が信号の周波数に関わる）が生じて振幅周波数のねじれが生じるので、磁界力による駆動のスピーカー全ては振幅周波数のねじれがひどい。相対的に、静電スピーカーは構造が簡単であることに限られなく、磁界がなく、静電力に駆動されるので、反起電力の課題がなく、振幅周波数のねじれが更に小さい。よって、静電スピーカーは動作原理で可動コイルスピーカーに対して（磁界力による駆動）生来の利点がある。よって、忠実度の高い音響システムでは、静電スピーカーを採用すると、効果が更に良い。
【０１４２】
可動コイルスピーカーは需要に応じてダイヤフラムが様々な形状にされてもいい。例えば、コーンスピーカー、ドームスピーカー、ホーンスピーカー及びフラットスピーカーなど。ここでは、フラットスピーカーはよく見られるものではなく、フラット静電スピーカーでもあり、ダイヤフラムをフラット形にして音声コイルと一箇所に固定し、音声コイルが振動する場合にフラットダイヤフラムを振動させて音声が生じるものであり、やはり可動コイルスピーカーに属する。リボン形の金属箔（アルミ箔が普通である）を磁界に設置し、オーディオ電流が磁界を経ると、磁界力により振動音声が生じるリボンスピーカーもある。実のところ、そのようなスピーカーと可動コイルスピーカーとの間に本質的な違いがない。ここでは、リボン形アルミ箔は「音声コイル＋ダイヤフラム」と効果が同じであり、音声コイルのリードワイヤーを伸ばしてリボン形にして同時にダイヤフラムとして使うことに相当し、電磁パフォーマンスが音声コイルと類似し、共に抵抗及びインダクタンスがあり、抵抗及びインダクタンスが小さいので、位相のねじれ及び幅のねじれも小さいが、効率が低い。
【０１４３】
よって、コーンスピーカー、ドームスピーカー、ホーンスピーカー、フラットスピーカー及びリボンスピーカーは形状が違うが、動作原理が同じであり、共に磁界力に駆動され、オーディオ電流が導体を流れると、磁界力により振動して音声が生じるものであり、共に可動コイルスピーカーに属するので、本発明の技術策の適用対象である。
【図面の簡単な説明】
【０１４４】
［各付図の番号規程：図の順番＋エレメントの順番、右からの2桁がエレメントの順番であり、同じ番号が同じエレメントを示す］
【図１】従来の技術による可動コイルスピーカーの構造図
【図２】従来の技術による可動コイルスピーカーの原理図
【図３】従来の技術による静電スピーカーの原理図
【図４】実施例1の図
【図５】実施例2の図
【図６】実施例3の図
【図７】実施例4の図
【図８】実施例5の図
【図９】実施例6の図
【図１０】実施例7の図
【図１１】実施例8の図
【図１２】実施例9の図
【図１３】実施例10の図
【図１４】実施例11の図
【図１５】実施例12の図
【図１６】実施例13の図
【図１７】実施例14の図
【図１８】実施例15の図
【図１９】実施例16の図
【図２０】実施例17の図
【図２１】実施例18の図
【図２２】実施例19の図
【図２３】実施例20の図
【図２４】実施例21の図
【図２５】実施例22の図
【図２６】実施例23の図
【図２７】実施例24の図
【図２８】実施例25の図
【図２９】実施例26の図
【図３０】実施例27の図
【発明を実施するための形態】
【０１４５】
本発明の技術分野に属する者が理解できるように、次に実施例と結び合わせて本発明の技術策をより詳細に説明する。
【実施例１】
【０１４６】
本発明による静電スピーカー、図のとおりに4、オーディオトランスフォーマー（301）、一次微分演算モジュール（401）、高圧直流電源（302）、固定極板（303）の2つ及びダイヤフラム（304）を含み、前記のオーディオトランスフォーマー（301）が入力オーディオ信号に対する昇圧を行い、前記の高圧直流電源（302）が前記のダイヤフラム（304）に正味の電荷を提供し、前記のダイヤフラム（304）は前記の固定極板（303）の2つの間にあり、前記の一次微分演算モジュール（401）は信号に対する一次微分の解決演算を行い、前記の一次微分演算モジュール（401）の一次微分の解決演算はハードウェア又はソフトウェアにより達成でき、入力オーディオ信号が前記のオーディオトランスフォーマー（301）に昇圧されてから前記の一次微分演算モジュール（401）により一次微分の解決演算を行われ、前記の一次微分演算モジュール（401）が出力した信号は前記の固定極板（303）の2つに印加されて前記の固定極板（303）の2つの間に変化する電界が形成し、前記のダイヤフラム（304）は前記の変化する電界の電界力により振動して音声が生じる。
【０１４７】
本実施例の一次微分演算モジュール（401）は前記のオーディオトランスフォーマー（301）と集積して前記の一次微分演算モジュール（401）の一次微分の解決演算機能が前記のオーディオトランスフォーマー（301）の内部で達成するようにすることもできる。
【実施例２】
【０１４８】
図5のとおりに、本発明による静電スピーカーはオーディオトランスフォーマー（301）、二次微分演算モジュール（501）、高圧直流電源（302）、固定極板（303）の2つ及びダイヤフラム（304）を含み、前記の高圧直流電源（302）は前記のダイヤフラム（304）に正味の電荷(静電荷でもある)を提供し、前記のダイヤフラム（304）は前記の固定極板（303）の2つの間にあり、前記の二次微分演算モジュール（501）は信号に対する二次微分の解決演算を行ない、前記の二次微分演算モジュール（501）の二次微分の解決演算はハードウェア又はソフトウェアにより達成でき、入力オーディオ信号は前記のオーディオトランスフォーマー（301）に昇圧されてから前記の二次微分演算モジュール（501）により二次微分の解決演算を行われ、前記の二次微分演算モジュール（501）が出力した信号は前記の固定極板（303）の2つに印加されて前記の固定極板（303）の2つの間に変化する電界が形成し、前記のダイヤフラム（304）は前記の変化する電界の電界力により振動して音声が生じる。
【０１４９】
本実施例の二次微分演算モジュール（501）は前記のオーディオトランスフォーマー（301）と集積して前記の二次微分演算モジュール（501）の二次微分の解決演算機能が前記のオーディオトランスフォーマー（301）の内部で達成するようにする。
【実施例３】
【０１５０】
図6のとおりに、本発明による静電スピーカーはオーディオトランスフォーマー（301）、三次微分演算モジュール（601）、高圧直流電源（302）、固定極板（303）の2つ及びダイヤフラム（304）を含み、前記の高圧直流電源（302）は前記のダイヤフラム（304）に正味の電荷(静電荷でもある)を提供し、前記のダイヤフラム（304）は前記の固定極板（303）の2つの間にあり、前記の三次微分演算モジュール（601）は信号に対する三次微分の解決演算を行い、前記の三次微分演算モジュール（601）の三次微分の解決演算はハードウェア又はソフトウェアにより達成でき、入力オーディオ信号は前記のオーディオトランスフォーマー（301）に昇圧されてから前記の三次微分演算モジュール（601）により三次微分の解決演算を行われ、前記の三次微分演算モジュール（601）が出力した信号は前記の固定極板（303）の2つに印加されて前記の固定極板（303）の2つの間に変化する電界が形成し、前記のダイヤフラム（304）は前記の変化する電界の電界力により振動して音声が生じる。
【０１５１】
本実施例の三次微分演算モジュール（601）は前記のオーディオトランスフォーマー（301）と集積して前記の三次微分演算モジュール（601）の三次微分の解決演算機能が前記のオーディオトランスフォーマー（301）の内部で達成するようにする。
【実施例４】
【０１５２】
図7のとおりに、本発明による静電スピーカーは一次微分演算モジュール（401）、オーディオトランスフォーマー（301）、高圧直流電源（302）、固定極板（303）の2つ及びダイヤフラム（304）を含み、前記の高圧直流電源（302）は前記のダイヤフラム（304）に正味の電荷(静電荷でもある)を提供し、前記のダイヤフラム（304）は前記の固定極板（303）の2つの間にあり、前記の一次微分演算モジュール（401）は信号に対する一次微分の解決演算を行い、前記の一次微分演算モジュール（401）の一次微分の解決演算はハードウェア又はソフトウェアにより達成でき、入力オーディオ信号は前記の一次微分演算モジュール（401）により一次微分の解決演算を行われてから前記のオーディオトランスフォーマー（301）により昇圧され、前記のオーディオトランスフォーマー（301）が出力した信号は前記の固定極板（303）の2つに印加されて前記の固定極板（303）の2つの間に変化する電界が形成し、前記のダイヤフラム（304）は前記の変化する電界の電界力により振動して音声が生じる。
【０１５３】
本実施例の一次微分演算モジュール（401）は前記のオーディオトランスフォーマー（301）と集積して前記の一次微分演算モジュール（401）の一次微分の解決演算の機能が前記のオーディオトランスフォーマー（301）の内部で達成するようにする。
【実施例５】
【０１５４】
図8のとおりに、本発明による静電スピーカーは一次微分演算モジュール（401）の2つ、オーディオトランスフォーマー（301）、高圧直流電源（302）、固定極板（303）の2つ及びダイヤフラム（304）を含み、前記の高圧直流電源（302）は前記のダイヤフラム（304）に正味の電荷(静電荷でもある)を提供し、前記のダイヤフラム（304）は前記の固定極板（303）の2つの間にあり、前記の一次微分演算モジュール（401）は信号に対する一次微分の解決演算を行い、前記の一次微分演算モジュール（401）の一次微分の解決演算はハードウェア又はソフトウェアにより達成でき、入力オーディオ信号は前記の一次微分演算モジュール（401）を経て一次微分の解決演算を行ってから前記のオーディオトランスフォーマー（301）の信号入力端に印加され、前記のオーディオトランスフォーマー（301）が出力した信号は前記の他の一次微分演算モジュール（401）により一次微分の解決演算を行われてから前記の固定極板（303）の2つに印加されて前記の固定極板（303）の2つの間に変化する電界が形成し、前記のダイヤフラム（304）は前記の変化する電界の電界力により振動して音声が生じる。
【０１５５】
本実施例の一次微分演算モジュール（401）の2つ又はそのいずれかは前記のオーディオトランスフォーマー（301）と集積して前記の一次微分演算モジュール（401）の微分演算機能が前記のオーディオトランスフォーマー（301）の内部で達成するようにする。
【実施例６】
【０１５６】
図9のとおりに、本発明による静電スピーカーは、オーディオトランスフォーマー（301）、高圧直流電源（302）、二次微分演算回路（901）、固定極板（303）の2つ及びダイヤフラム（304）を含み、前記の二次微分演算回路（901）は信号に対する二次微分の解決演算を行ない、前記の二次微分演算回路（901）は前記の固定極板（303）のいずれかに集積し、前記の高圧直流電源（302）は前記のダイヤフラム（304）に正味の電荷(静電荷でもある)を提供し、前記のダイヤフラム（304）は前記の固定極板（303）の2つの間にあり、入力オーディオ信号は前記のオーディオトランスフォーマー（301）により昇圧されてから前記の二次微分演算回路（901）により二次微分の解決演算を行われて前記の固定極板（303）の2つに印加されて前記の固定極板（303）の2つの間に変化する電界が形成し、前記のダイヤフラム（304）は前記の変化する電界の電界力により振動して音声が生じる。
【実施例７】
【０１５７】
図10のとおりに、本発明による音声情報を処理するための装置は一次微分演算モジュール（401）、オーディオ信号増幅器及び静電スピーカーを含み、前記の一次微分演算モジュール（401）は信号に対する一次微分の解決演算を行い、前記の一次微分演算モジュール（401）の一次微分の解決演算はハードウェア又はソフトウェアにより達成でき、入力オーディオ信号は前記の一次微分演算モジュール（401）により一次微分の解決演算を行われてから前記のオーディオ信号増幅器の信号入力端に印加され、前記のオーディオ信号増幅器が出力した信号は前記の静電スピーカーの信号入力端に印加されて前記の静電スピーカーに音声が生じるようにし、本実施例の一次微分演算モジュール（401）は前記のオーディオ信号増幅器の内部に集積することもできる。
【実施例８】
【０１５８】
図11のとおりに、本発明による音声情報を処理するための装置は一次微分演算モジュール（401）の2つ、オーディオ信号増幅器及び静電スピーカーを含み、前記の一次微分演算モジュール（401）は信号に対する一次微分の解決演算を行い、前記の一次微分演算モジュール（401）の一次微分の解決演算はハードウェア又はソフトウェアにより達成でき、入力オーディオ信号は前記の一次微分演算モジュール（401）を経て一次微分の解決演算を行ってから前記のオーディオ信号増幅器の信号入力端に印加され、前記のオーディオ信号増幅器が出力した信号は前記の他の一次微分演算モジュール（401）により一次微分の解決演算を行われてから前記の静電スピーカーの信号入力端に印加されて前記の静電スピーカーに音声が生じるようにし、本実施例の一次微分演算モジュール（401）の2つ又はそのいずれかは前記のオーディオ信号増幅器の内部に集積することもできる。
【実施例９】
【０１５９】
図12のとおりに、本発明による音声情報を処理するための装置は二次微分演算モジュール（501）、オーディオ信号増幅器及び静電スピーカーを含み、前記の二次微分演算モジュール（501）は信号に対する二次微分の解決演算を行ない、前記の二次微分演算モジュール（501）の二次微分の解決演算はハードウェア又はソフトウェアにより達成でき、入力オーディオ信号は前記の二次微分演算モジュール（501）により二次微分の解決演算をおこなわれてから前記のオーディオ信号増幅器の信号入力端に印加され、前記のオーディオ信号増幅器が出力した信号は前記の静電スピーカーの信号入力端に印加されて前記の静電スピーカーに音声が生じるようにし、本実施例の二次微分演算モジュール（501）は前記のオーディオ信号増幅器の内部に集積することもできる。
【実施例１０】
【０１６０】
図13のとおりに、本発明による音声情報を処理するための装置はオーディオ信号増幅器、二次微分演算モジュール（501）及び静電スピーカーを含み、前記の二次微分演算モジュール（501）は信号に対する二次微分の解決演算を行ない、前記の二次微分演算モジュール（501）の二次微分の解決演算はハードウェア又はソフトウェアにより達成でき、入力オーディオ信号は前記のオーディオ信号増幅器により増幅を行われてから前記の二次微分演算モジュール（501）の信号入力端に印加され、前記の二次微分演算モジュール（501）が出力した信号は前記の静電スピーカーの信号入力端に印加されて前記の静電スピーカーに音声が生じるようにし、本実施例の二次微分演算モジュール（501）は前記のオーディオ信号増幅器の内部に集積することもできる。
【実施例１１】
【０１６１】
図14のとおりに、本発明による音声情報を処理するための装置はオーディオ信号増幅器、三次微分演算モジュール（601）及び静電スピーカーを含み、前記の三次微分演算モジュール（601）は信号に対する三次微分の解決演算を行い、前記の三次微分演算モジュール（601）の三次微分の解決演算はハードウェア又はソフトウェアにより達成でき、入力オーディオ信号は前記のオーディオ信号増幅器により増幅を行われてから前記の三次微分演算モジュール（601）の信号入力端に印加され、前記の三次微分演算モジュール（601）が出力した信号は前記の静電スピーカーの信号入力端に印加されて前記の静電スピーカーに音声が生じるようにし、本実施例の三次微分演算モジュール（601）は前記のオーディオ信号増幅器の内部に集積することもできる。
【実施例１２】
【０１６２】
図15のとおりに、本発明による音声情報を処理するための装置は一次微分演算モジュール（401）、オーディオ信号増幅器、二次微分演算モジュール（501）及び静電スピーカーを含み、前記の一次微分演算モジュール（401）は信号に対する一次微分の解決演算を行い、前記の二次微分演算モジュール（501）は信号に対する二次微分の解決演算を行ない、前記の一次微分演算モジュール（401）及び前記の二次微分演算モジュール（501）の微分演算機能はハードウェア又はソフトウェアにより達成でき、入力オーディオ信号は前記の一次微分演算モジュール（401）により一次微分の解決演算を行われてから前記のオーディオ信号増幅器の信号入力端に印加され、前記のオーディオ信号増幅器が出力した信号は前記の二次微分演算モジュール（501）により二次微分の解決演算を行われ、前記の二次微分演算モジュール（501）が出力した信号は前記の静電スピーカーの信号入力端に印加されて前記の静電スピーカーに音声が生じるようにし、本実施例の一次微分演算モジュール（401）及び二次微分演算モジュール（501）は前記のシステムでの位置が互いに交換でき、前記の一次微分演算モジュール（401）及び二次微分演算モジュール（501）又はそのいずれかは前記のオーディオ信号増幅器の内部に集積することもできる。
【実施例１３】
【０１６３】
図16のとおりに、本発明による音声情報を処理するための装置はオーディオ信号増幅器、一次微分演算モジュール（401）及び可動コイルスピーカーを含み、前記の一次微分演算モジュール（401）は信号に対する一次微分の解決演算を行い、前記の一次微分演算モジュール（401）の一次微分の解決演算はハードウェア又はソフトウェアにより達成でき、入力オーディオ信号は前記のオーディオ信号増幅器により増幅を行われてから前記の一次微分演算モジュール（401）の信号入力端に印加され、前記の一次微分演算モジュール（401）が出力した信号は前記の可動コイルスピーカーの信号入力端に印加されて前記の静電スピーカーに音声が生じるようにし、本実施例の一次微分演算モジュール（401）は前記のオーディオ信号増幅器の内部に集積することもできる。
【実施例１４】
【０１６４】
図17のとおりに、本発明による音声情報を処理するための装置はオーディオ信号増幅器、二次微分演算モジュール（501）及び可動コイルスピーカーを含み、前記の二次微分演算モジュール（501）は信号に対する二次微分の解決演算を行ない、前記の二次微分演算モジュール（501）の二次微分の解決演算はハードウェア又はソフトウェアにより達成でき、入力オーディオ信号は前記のオーディオ信号増幅器により増幅を行われてから前記の二次微分演算モジュール（501）の信号入力端に印加され、前記の二次微分演算モジュール（501）が出力した信号は前記の可動コイルスピーカーの信号入力端に印加されて前記の可動コイルスピーカーに音声が生じるようにし、本実施例の二次微分演算モジュール（501）は前記のオーディオ信号増幅器の内部に集積することもできる。
【実施例１５】
【０１６５】
図18のとおりに、本発明による音声情報を処理するための装置は一次微分演算モジュール（401）の2つ、オーディオ信号増幅器及び可動コイルスピーカーを含み、前記の一次微分演算モジュール（401）の2つは共に信号に対する一次微分の解決演算を行い、前記の一次微分演算モジュール（401）の2つの一次微分の解決演算はハードウェア又はソフトウェアにより達成でき、入力オーディオ信号は前記の一次微分演算モジュール（401）のいずれかにより一次微分の解決演算を行われてから前記のオーディオ信号増幅器の信号入力端に印加され、前記のオーディオ信号増幅器が出力した信号は前記の他の一次微分演算モジュール（401）により一次微分の解決演算を行われてから前記の可動コイルスピーカーの信号入力端に印加されて前記の可動コイルスピーカーに音声が生じるようにし、本実施例では、一次微分演算モジュール（401）の2つ又はそのいずれかは前記のオーディオ信号増幅器の内部に集積することもできる。
【実施例１６】
【０１６６】
図19のとおりに、本発明による音声情報を処理するための装置はオーディオ信号増幅器、三次微分演算モジュール（601）及び可動コイルスピーカーを含み、前記の三次微分演算モジュール（601）は信号に対する三次微分の解決演算を行い、前記の三次微分演算モジュール（601）の三次微分の解決演算はハードウェア又はソフトウェアにより達成でき、入力オーディオ信号は前記のオーディオ信号増幅器により増幅を行われてから前記の三次微分演算モジュール（601）の信号入力端に印加され、前記の三次微分演算モジュール（601）が出力した信号は前記の可動コイルスピーカーの信号入力端に印加されて前記の可動コイルスピーカーに音声が生じるようにし、本実施例の三次微分演算モジュール（601）は前記のオーディオ信号増幅器の内部に集積することもできる。
【実施例１７】
【０１６７】
図20のとおりに、本発明による音声情報を処理するための装置は三次微分演算モジュール（601）、オーディオ信号増幅器及び可動コイルスピーカーを含み、前記の三次微分演算モジュール（601）は信号に対する三次微分の解決演算を行い、前記の三次微分演算モジュール（601）の三次微分の解決演算はハードウェア又はソフトウェアにより達成でき、入力オーディオ信号は前記の三次微分演算モジュール（601）に対する三次微分の解決演算を行ってから前記のオーディオ信号増幅器の信号入力端に印加され、前記のオーディオ信号増幅器が出力した信号は前記の可動コイルスピーカーの信号入力端に印加されて前記の可動コイルスピーカーに音声が生じるようにし、本実施例の三次微分演算モジュール（601）は前記のオーディオ信号増幅器の内部に集積することもできる。
【実施例１８】
【０１６８】
図21のとおりに、本発明による音声情報を処理するための装置は一次微分演算モジュール（401）、オーディオ信号増幅器、二次微分演算モジュール（501）及びリボンスピーカーを含み、前記の一次微分演算モジュール（401）は信号に対する一次微分の解決演算を行い、前記の二次微分演算モジュール（501）は信号に対する二次微分の解決演算を行ない、前記の一次微分演算モジュール（401）及び前記の二次微分演算モジュール（501）の微分演算がハードウェア又はソフトウェアにより達成でき、入力オーディオ信号は前記の一次微分演算モジュール（401）により一次微分の解決演算を行われてから前記のオーディオ信号増幅器の信号入力端に印加され、前記のオーディオ信号増幅器が出力した信号は前記の二次微分演算モジュール（501）により二次微分の解決演算を行われてから前記のリボンスピーカーの信号入力端に印加されて前記のリボンスピーカーに音声が生じるようにし、本実施例の一次微分演算モジュール（401）及び二次微分演算モジュール（501）又はそのいずれかは前記のオーディオ信号増幅器の内部に集積することもできる。
【実施例１９】
【０１６９】
図22のとおりに、本発明による音声情報を処理するための装置はオーディオ信号増幅器、四次微分演算モジュール（2201）及び可動コイルスピーカーを含み、前記の四次微分演算モジュール（2201）は信号に対する四次微分の解決演算を行い、前記の四次微分演算モジュール（2201）の四次微分の解決演算はハードウェア又はソフトウェアにより達成でき、入力オーディオ信号は前記のオーディオ信号増幅器により増幅を行われてから前記の四次微分演算モジュール（2201）の信号入力端に印加され、前記の四次微分演算モジュール（2201）が出力した信号は前記の可動コイルスピーカーの信号入力端に印加されて前記の可動コイルスピーカーに音声が生じるようにし、本実施例の四次微分演算モジュール（2201）は前記のオーディオ信号増幅器の内部に集積することもできる。
【実施例２０】
【０１７０】
図23のとおりに、本発明による音声情報を処理するための装置は二次微分演算モジュール（501）の2つ、オーディオ信号増幅器及び可動コイルスピーカーを含み、前記の二次微分演算モジュール（501）は信号に対する二次微分の解決演算を行ない、前記の二次微分演算モジュール（501）の二次微分の解決演算はハードウェア又はソフトウェアにより達成でき、入力オーディオ信号は前記の二次微分演算モジュール（501）のいずれかにより二次微分の解決演算をおこなわれてから前記のオーディオ信号増幅器の信号入力端に印加され、前記のオーディオ信号増幅器が出力した信号は前記の他の二次微分演算モジュール（501）により二次微分の解決演算を行われてから前記の可動コイルスピーカーの信号入力端に印加されて前記の可動コイルスピーカーに音声が生じるようにし、本実施例の二次微分演算モジュール（501）の2つ又はそのいずれかは前記のオーディオ信号増幅器の内部に集積することもできる。
【実施例２１】
【０１７１】
図24のとおりに、本発明による音声情報を処理するための装置はオーディオ信号増幅器、五次微分演算モジュール（2401）及び可動コイルスピーカーを含み、前記の五次微分演算モジュール（2401）は信号に対する五次微分の解決演算を行い、前記の五次微分演算モジュール（2401）の五次微分の解決演算はハードウェア又はソフトウェアにより達成でき、入力オーディオ信号は前記のオーディオ信号増幅器により増幅を行われてから前記の五次微分演算モジュール（2401）の信号入力端に印加され、前記の五次微分演算モジュール（2401）が出力した信号は前記の可動コイルスピーカーの信号入力端に印加されて前記の可動コイルスピーカーに音声が生じるようにし、本実施例の五次微分演算モジュール（2401）は前記のオーディオ信号増幅器の内部に集積することもできる。
【実施例２２】
【０１７２】
図25のとおりに、本発明による音声情報を処理するための装置は二次微分演算モジュール（501）、オーディオ信号増幅器、三次微分演算モジュール（601）及び可動コイルスピーカーを含み、前記の二次微分演算モジュール（501）は信号に対する二次微分の解決演算を行ない、前記の三次微分演算モジュール（601）は信号に対する三次微分の解決演算を行い、前記の二次微分演算モジュール（501）及び前記の三次微分演算モジュール（601）の微分演算機能はハードウェア又はソフトウェアにより達成でき、入力オーディオ信号は前記の二次微分演算モジュール（501）により二次微分の解決演算をおこなわれてから前記のオーディオ信号増幅器の信号入力端に印加され、前記のオーディオ信号増幅器が出力した信号は前記の三次微分演算モジュール（601）により三次微分の解決演算を行われてから前記の可動コイルスピーカーの信号入力端に印加されて前記の可動コイルスピーカーに音声が生じるようにし、本実施例の二次微分演算モジュール（501）及び三次微分演算モジュール（601）又はそのいずれかは前記のオーディオ信号増幅器の内部に集積することもできる。
【実施例２３】
【０１７３】
図26のとおりに、本発明による通信装置はメモリ、デジタル・アナログの変換モジュール（D/A変換モジュール）、オーディオ信号増幅器、二次微分演算モジュール及び静電スピーカーを含み、前記のメモリは仮にデジタルオーディオ信号を記憶でき、前記のデジタル・アナログの変換モジュール（D/A変換モジュール）は受信したデジタルオーディオ信号を該当するアナログオーディオ信号に変換でき、前記の二次微分演算モジュールは前記のアナログオーディオ信号に対する二次微分の解決演算を行い、前記の二次微分演算モジュールの二次微分の解決演算はハードウェア又はソフトウェアにより達成でき、前記のメモリが出力したデジタルオーディオ信号は前記のデジタル・アナログの変換モジュール（D/A変換モジュール）により該当するアナログオーディオ信号に変換されてから前記のオーディオ信号増幅器の信号入力端に通信され、前記のオーディオ信号増幅器が出力したアナログオーディオ信号は前記の二次微分演算モジュールにより二次微分の解決演算を行われてから前記の静電スピーカーの信号入力端に印加され、前記の静電スピーカーに音声が生じるようにする。
【０１７４】
本実施例では、前記の二次微分演算モジュールは一次又は三次微分演算モジュールにより代替されることができ、前記の一次又は三次微分演算モジュールの微分演算はハードウェア又はソフトウェアにより達成できる。
【実施例２４】
【０１７５】
図27のとおりに、本発明による通信装置はメモリ、デジタル・アナログの変換モジュール（D/A変換モジュール）、オーディオ信号増幅器、三次微分演算モジュール及び可動コイルスピーカーを含み、前記のメモリはデジタルオーディオ信号を記憶でき、前記のデジタル・アナログの変換モジュール（D/A変換モジュール）は受信したデジタルオーディオ信号を該当するアナログオーディオ信号に変換でき、前記の三次微分演算モジュールは前記のデジタル・アナログの変換モジュールが出力したアナログオーディオ信号に対する三次微分の解決演算を行い、前記の三次微分演算モジュールの三次微分の解決演算はハードウェア又はソフトウェアにより達成でき、前記のメモリが出力したデジタルオーディオ信号は前記のデジタル・アナログの変換モジュール（D/A変換モジュール）により該当するアナログオーディオ信号に変換されてから前記のオーディオ信号増幅器の信号入力端に通信され、前記のオーディオ信号増幅器が出力したアナログオーディオ信号は前記の三次微分演算モジュールにより三次微分の解決演算を行われてから前記の可動コイルスピーカーの信号入力端に印加されて前記の可動コイルスピーカーに音声が生じるようにする。
【０１７６】
本実施例では、前記の三次微分演算モジュールは一次、二次、四次又は五次微分演算モジュールにより代替されることができ、前記の一次、二次、四次又は五次微分演算モジュールの微分演算はハードウェア又はソフトウェアにより達成できる。
【実施例２５】
【０１７７】
図28のとおりに、本発明による通信装置は音響電気変換モジュール、二次微分演算モジュール、デジタル・アナログの変換モジュール（A/D変換モジュール）、キャリアジェネレータ、モジュレーター、信号増幅器及びアンテナを含み、前記の音響電気変換モジュールはオーディオ情報ソースが生じた音声情報を該当するアナログオーディオ信号に変換し、前記の二次微分演算モジュールは前記のアナログオーディオ信号に対する二次微分の解決演算を行い、前記の二次微分演算モジュールの二次微分の解決演算はハードウェア又はソフトウェアにより達成でき、前記のデジタル・アナログの変換モジュール（A/D変換モジュール）は受信したアナログオーディオ信号を該当するデジタルオーディオ信号に変換し、前記のキャリアジェネレータは高周波キャリア（普通、周波数が800MHz〜2500MHzにあり、遠隔通信に便利である）を生じるためのものであり、前記のモジュレーターは送信するデジタルオーディオ信号及び前記のキャリアに対する演算を行って演算されたキャリアが前記のデジタルオーディオ信号の情報を含むようにし、前記の信号増幅器は前記のモジュレーターが出力した変調波に対する増幅を行って送信するために充分な出力に達成するようにし、前記の変調されたキャリア（前記のデジタルオーディオ信号の情報を含む）は前記のアンテナにより電磁波に変換され、送信される。
【０１７８】
本実施例では、前記の二次微分演算モジュールは一次、三次、四次又は五次微分演算モジュールにより代替されることができ、前記の一次、三次、四次又は五次微分演算モジュールの微分演算はハードウェア又はソフトウェアにより達成できる。
【実施例２６】
【０１７９】
図29のとおりに、本発明による通信装置はアンテナ、一次信号増幅器、復調器、デジタル・アナログの変換モジュール（D/A変換モジュール）、二次微分演算モジュール、最終信号増幅器及び静電スピーカーを含み、前記のアンテナは空間からの電磁波を受信するためのものであり、前記の一次信号増幅器はアンテナが受信した弱い電気信号に対する増幅を行ない、前記の復調器は受信した変調波から送信端からのデジタルオーディオ信号を還元し、前記のデジタル・アナログの変換モジュール（D/A変換モジュール）は前記の復調器に還元されたデジタルオーディオ信号を該当するアナログオーディオ信号に変換し、前記の二次微分演算モジュールは前記のアナログオーディオ信号に対する二次微分の解決演算を行い、前記の二次微分演算モジュールの二次微分の解決演算はハードウェア又はソフトウェアにより達成でき、前記のアナログオーディオ信号は前記の二次微分演算モジュールにより二次微分の解決演算を行われてから前記の最終信号増幅器により増幅を行われ、前記の最終信号増幅器が出力した信号は前記の静電スピーカーの信号入力端に印加され、前記の静電スピーカーに音声が生じるようにする。
【０１８０】
本実施例では、前記の二次微分演算モジュールは一次又は三次微分演算モジュールにより代替されることができ、前記の一次又は三次微分演算モジュールの微分演算がハードウェア又はソフトウェアにより達成できる。
【実施例２７】
【０１８１】
図30のとおりに、本発明による通信装置はアンテナ、一次信号増幅器、復調器、デジタル・アナログの変換モジュール（D/A変換モジュール）、三次微分演算モジュール、最終信号増幅器及び可動コイルスピーカーを含み、前記のアンテナは空間からの電磁波を受信するためのものであり、前記の一次信号増幅器は前記のアンテナが受信した弱い電気信号（普通、その電圧がレベルmV又はμVにある）に対する増幅を行い、前記の復調器は受信した変調波から送信端からのデジタルオーディオ信号を還元し、前記のデジタル・アナログの変換モジュール（D/A変換モジュール）は前記の復調器に還元されたデジタルオーディオ信号を該当するアナログオーディオ信号に変換し、前記の三次微分演算モジュールは前記のアナログオーディオ信号に対する三次微分の解決演算を行い、前記の三次微分演算モジュールの微分演算はハードウェア又はソフトウェアにより達成でき、前記のアナログオーディオ信号は前記の三次微分演算モジュールにより三次微分の解決演算を行われてから前記の最終信号増幅器により増幅を行われ、前記の最終信号増幅器が出力したアナログオーディオ信号は前記の可動コイルスピーカーの信号入力端に印加されて前記の可動コイルスピーカーに音声が生じるようにする。
【０１８２】
本実施例では、前記の三次微分演算モジュールは一次、二次、四次又は五次微分演算モジュールにより代替されることができ、前記の一次、二次、四次又は五次微分演算モジュールの微分演算はハードウェア又はソフトウェアにより達成できる。
【０１８３】
上記の各実施例は具体的達成方法から本発明の技術策について行った説明であり、本分野の技術者が更に明確に、また正確に本発明の技術策の中核的な考え方を理解できることを目的にするが、本分野の一般の技術者は本発明の技術策の中核的な考え方を変えないでこれらの実施例に対する適当な同等の変換を行い、新たに組み合わせて同じ技術的効果に達成できるので、これらの実施例は本発明の内容に対する制限を構成することなく、本発明の特許請求範囲について請求項に記載の範囲に準ずる。
【符号の説明】
【０１８４】
301      オーディオトランスフォーマー
302      高圧直流電源
303      固定極板
304      ダイヤフラム
【図１】
2021527374.tif 000190
【図２】
2021527374.tif 000191
【図３】
2021527374.tif 000192
【図４】
2021527374.tif 000193
【図５】
2021527374.tif 000194
【図６】
2021527374.tif 000195
【図７】
2021527374.tif 000196
【図８】
2021527374.tif 000197
【図９】
2021527374.tif 000198
【図１０】
2021527374.tif 000199
【図１１】
2021527374.tif 000200
【図１２】
2021527374.tif 000201
【図１３】
2021527374.tif 000202
【図１４】
2021527374.tif 000203
【図１５】
2021527374.tif 000204
【図１６】
2021527374.tif 000205
【図１７】
2021527374.tif 000206
【図１８】
2021527374.tif 000207
【図１９】
2021527374.tif 000208
【図２０】
2021527374.tif 000209
【図２１】
2021527374.tif 000210
【図２２】
2021527374.tif 000211
【図２３】
2021527374.tif 000212
【図２４】
2021527374.tif 000213
【図２５】
2021527374.tif 000214
【図２６】
2021527374.tif 000215
【図２７】
2021527374.tif 000216
【図２８】
2021527374.tif 000217
【図２９】
2021527374.tif 000218
【図３０】
2021527374.tif 000219
【国際調査報告】
2021527374.tif 000220
2021527374.tif 000221
2021527374.tif 000222
2021527374.tif 000223